(57)【要約】【課題】風量調節ダンパに回転方向のガタツキが生じていたとしても、そのガタツキを風圧により押えて、そのガタツキによる風量調節ダンパのズレを解消し、風量調節に誤差が生じないようにした燃焼用バーナにおける風量調節ダンパの提供。【解決手段】回転軸Ｃの両側にダンパ板部分６１，６２を設けた風量調節ダンパ６が、送風機２から燃焼筒１１への送風路５に配置されている燃焼用バーナにおいて、前記風量調節ダンパを、回転軸の両側に設けたダンパ板部分の受圧面積が異なるように、この両側のダンパ部分を回転軸に対して非対称に形成した。【選択図】　　　図１
2004019975.tif 000002
【特許請求の範囲】
【請求項１】
回転軸の両側にダンパ板部分を設けた風量調節ダンパが、送風機から燃焼部への送風路に配置されている燃焼用バーナにおいて、
前記風量調節ダンパは、回転軸の両側に設けたダンパ板部分の受圧面積が異なるように、この両側のダンパ板部分が回転軸に対して非対称に形成されていることを特徴とした燃焼用バーナにおける風量調節ダンパ。
【発明の詳細な説明】
【０００１】
【発明の属する技術分野】
本発明は、家庭用給湯機等に設備される燃焼用バーナに設けられ、送風機から燃焼部への送風量を調節するために用いられる風量調節ダンパに関する。
【０００２】
【従来の技術】
家庭用給湯機等に設備される燃焼用バーナでは、燃油噴霧ノズルから燃焼部に燃油（石油等）を噴霧させると共に、送風機から燃焼部に空気を供給し、この空気と燃油とを混合させて燃焼部で燃焼させることになる。
この場合、燃焼の高低に応じて燃油噴霧ノズルから噴霧させる燃油量及び燃焼筒に供給する空気量を増減することになる。
【０００３】
従来、送風機から燃焼部への空気量を増減させる手段としては、送風機から燃焼部への送風路に配置した風量調節ダンパが用いられている。
この風量調節ダンパは、回転軸の両側にダンパ板部分が設けられ、回転軸の回転により両側のダンパ板部分を回動させて、送風路の開口度を調節し、空気量を増減させるようになっている。
【０００４】
なお、従来の風量調節ダンパは、両側のダンパ部分が回転軸に対して対称に形成されており、このため、両側のダンパ板部分は、その受圧面積が同一になっていた。
【０００５】
【発明が解決しようとする課題】
風量調節ダンパは、そのダンパ軸が駆動モータのモータ軸に連結されて、駆動モータの回転で回転するが、ダンパ軸とモータ軸との間の隙やモータ軸の遊びにより回転方向にガタツキが生じてしまうことがある。
このように、風量調節ダンパに回転方向のガタツキが生じると、そのガタツキの分だけ風量調節ダンパの取り付け角度にズレが生じ、このズレによって風量調節に誤差が生じてしまうという問題があった。
特に、最小燃焼時には、風量調節ダンパを全閉させて、燃焼部への空気量を僅かにする必要があり、このような最小燃焼時に風量調節に誤差が生じると、良好な燃焼状態が得られなくなることがある。
【０００６】
本発明は、上記のような問題を解決するためになされたもので、風量調節ダンパに回転方向のガタツキが生じていたとしても、そのガタツキを風圧により押えて、そのガタツキによる風量調節ダンパのズレを解消し、風量調節に誤差が生じないようにした燃焼用バーナにおける風量調節ダンパを提供することを課題としている。
【０００７】
【課題を解決するための手段】
上記課題を解決するために、本発明の燃焼用バーナにおける風量調節ダンパは、
回転軸の両側にダンパ板部分を設けた風量調節ダンパが、送風機から燃焼部への送風路に配置されている燃焼用バーナにおいて、
前記風量調節ダンパは、回転軸の両側に設けたダンパ板部分の受圧面積が異なるように、この両側のダンパ板部分が回転軸に対して非対称に形成されている構成とした。
【０００８】
【発明の実施の形態】
以下、本発明の実施の形態を図面に示す実施例より説明する。尚、本発明の具体的な構成は、以下の実施の形態に限定されるものではない。
図面は本発明の一実施例で、図１は風量調節ダンパの正面図、図２は風量調節ダンパの側面図、図３は燃焼用バーナの概略断面図である。
【０００９】
本実施例の風量調節ダンパ６を備えた燃焼用バーナ１は、図示しない家庭用給湯機等に設備され、石油を燃料として燃焼する。
前記燃焼用バーナ１は、図３に示すように、外筒１０と燃焼部としての燃焼筒１１の間に送風機２により通風される空気通路３が形成されている。
前記燃焼筒１１には、胴部に多数の空気穴１１ａが形成されると共に、上面に噴霧口１１ｂが形成され、前記外筒１０の上面には、前記噴霧口１１ｂに望むように燃油噴霧ノズル４が取り付けられている。
【００１０】
前記送風機２から燃焼筒１１への送風路５には、風量調節ダンパ６が配置されている。
前記風量調節ダンパ６は、図１及び図２に示すように、回転軸Ｃ上に設けたダンパ軸６０が駆動モータ７に連結されて、この駆動モータ７の回転により回転するもので、回転軸Ｃの両側にダンパ板部分６１，６２が設けられ、この両側のダンパ板部分６１，６２は、その受圧面積が異なるように、回転軸Ｃに対して非対称に形成されている。
即ち、両側のダンパ板部分６１，６２は、その横幅は同一に形成されているが、その長さ（回転軸Ｃから先端までの距離）は、一方のダンパ板部分６１の長さＬ１が、他方のダンパ板部分６２の長さＬ２よりも長く形成されている（Ｌ１＞Ｌ２）。
【００１１】
そして、この燃焼用バーナ１では、燃油噴霧ノズル４から燃焼筒１１に燃油（石油等）を噴霧させると共に、送風機２から燃焼筒１１に空気を供給し、この空気と燃油とを混合させて燃焼筒１１で燃焼させることになる。
この場合、燃焼域の高低に応じて燃油噴霧ノズル４から噴霧させる燃油量及び燃焼筒１１に供給する空気量を増減することになる。
【００１２】
即ち、低燃焼域での燃焼時には、燃油噴霧ノズル４から少量の燃油量を噴霧させると共に、風量調節ダンパ６を図２実線で示すように、送風機２からの空気の流れ方向（図２の矢印Ａ方向）に対して直交する全閉位置に位置決めして、送風機から燃焼筒への空気量を僅少に減少させる。
又、高燃焼域での燃焼時には、燃油噴霧ノズル４から多量の燃油量を噴霧させると共に、風量調節ダンパ６を図２仮想線で示すように、送風機２からの空気の流れ方向に対して平行な全開位置に位置決めして、送風機２から燃焼筒１１への空気量を増大させる。
又、低燃焼域と高燃焼域との中間燃焼時には、燃油噴霧ノズル４による燃油噴霧量に対応して、風量調節ダンパ６を送風機２からの空気の流れ方向に対して角度を持った中間位置に位置決めして、送風機２から燃焼筒１１への空気量を調整させる。
【００１３】
このように、風量調節ダンパ６は、高燃焼域での燃焼時以外（低燃焼域や中間燃焼域での燃焼時）は、送風機２からの空気の流れ方向に対して直角又は角度を持つ状態に位置決めされる。
このとき、風量調節ダンパ６の両側のダンパ板部分６１，６２は、空気圧を受ける受圧面積が異なるように、回転軸Ｃに対して非対称に形成されているため、一方のダンパ板部分６１に加わる回転力と、他方のダンパ板部分６２に加わる回転力とに差が生じる。
例えば、図２の例では、一方のダンパ板部分６１に加わる回転力が、他方のダンパ板部分６２に加わる回転力よりも大きくなるため、風量調節ダンパ６には、矢印Ｂ方向の回転力が生じる。
【００１４】
従って、風量調節ダンパ６に回転方向のガタツキが生じていたとしても、この風量調節ダンパ６には、矢印Ｂ方向の回転力が生じているため、この回転力による付勢でガタツキを押えることができる。
これにより、ガタツキによる風量調節ダンパ６のズレを解消し、風量調節に誤差が生じるといった問題を解消できる。
【００１５】
なお、高燃焼域での燃焼時には、風量調節ダンパ６が送風機２からの空気の流れ方向に対して平行な全開位置に位置決めされるため、空気圧による回転力が生じず、風量調節ダンパ６の回転方向のガタツキを押えることができない。ただ、高燃焼域での燃焼時には、多量の空気を供給するため、風量調節に多少の誤差が生じても支障はない。
【００１６】
【発明の効果】
以上説明してきたように、本発明の風量調節ダンパにあっては、両側に設けたダンパ板部分の受圧面積が異なるように、この両側のダンパ部分を回転軸に対して非対称に形成しているため、風量調節ダンパに回転方向のガタツキが生じていたとしても、そのガタツキを風圧により押えて、そのガタツキによる風量調節ダンパのズレを解消し、風量調節に誤差を生じさせることなく、正確な風量調節を行なうことができる。
【図面の簡単な説明】
【図１】本発明の一実施例に係る風量調節ダンパの正面図である。
【図２】風量調節ダンパの側面図である。
【図３】燃焼用バーナの概略断面図である。
【符号の説明】
１　燃焼用バーナ
１０　外筒
１１　燃焼筒（燃焼部）
１１ａ　空気穴
１１ｂ　噴霧口
２　送風機
３　空気通路
４　燃油噴霧ノズル
５　送風路
６　風量調節ダンパ
６０　ダンパ軸
６１　ダンパ板部分
６２　ダンパ板部分
７　駆動モータ
Ｃ　回転軸
【図１】
2004019975.tif 000003
【図２】
2004019975.tif 000004
【図３】
2004019975.tif 000005